(57)【要約】【課題】    強固にパイプに固定することができるパイプ用エンドキャップを提供する。【解決手段】  円盤状のキャップ10と、キャップ10の中央部に固定されたボルト部11と、ボルト11が一端にねじ込まれるナット部13と、パイプ8の内径面を押圧するバネ材からなる内壁面押圧部材14と、ナット部13の他端にねじ込まれる取り付けねじ16とを備え、内壁押圧部材14は、周方向に等間隔に配置されると共に中央部分が外側に膨れて折り曲げられた複数の脚部14aと、脚部14aから内側に折り曲げられた先端部14bと、取り付けねじ16が挿入される孔14dが設けられた後端部14eとを有し、内壁押圧部材14の脚部14a内にナット部13を挿入し、ナット部13の一端を後端部14eに当接させ、取り付けねじ16をナット部13にねじ込み、内壁押圧部材14にナット部13が取り付けられ、ナット部13の他端にボルト部11をねじ込んでパイプ用エンドキャップ1が組み立てられる。【選択図】    図４
2018175754.tif 000002
【特許請求の範囲】
【請求項１】
一端又は両端が開口したパイプに装着されるパイプ用エンドキャップであって、
金属製の円盤状のキャップと、このキャップの中央部に固定されたボルト部と、このボルトが一端にねじ込まれるナット部と、パイプの内径面を押圧するバネ材からなる内壁面押圧部材と、前記ナット部の他端にねじ込まれる取り付けねじとを備え、
前記内壁押圧部材は、周方向に等間隔に配置されると共に中央部分が外側に膨れて折り曲げられた複数の脚部と、前記脚部から内側に折り曲げられた先端部と、前記取り付けねじが挿入される孔が設けられた後端部とを有し、
前記内壁押圧部材の脚部内にナット部を挿入し、ナット部の一端を後端部に当接させ、取り付けねじをナット部にねじ込み、前記内壁押圧部材にナット部が取り付けられ、
前記ナット部の他端に前記ボルト部をねじ込んでパイプ用エンドキャップを組み立て、
パイプ内に前記内壁押圧部材を挿入した状態で、前記キャップを回すことで、前記ナット部と内壁押圧部材の後端部がキャップ方向に移動して脚部を外側に拡げ、パイプの内径面に脚部を当接させてパイプ用エンドキャップを固定することを特徴とするパイプ用エンドキャップ。
【請求項２】
前記脚部間に外側に突出する案内舌片が設けられていることを特徴とする請求項１に記載のパイプ用エンドキャップ。
【請求項３】
前記ボルト部が挿入される中央孔部と、この中央孔部の周縁から立ち上がる外周周縁部とを有する受け皿部を、前記内壁押圧部材の脚部の先端部とキャップとの間に介在させ、パイプの固定時に、前記先端部と外周周縁部とが当接することを特徴とする請求項１又は２に記載のパイプ用エンドキャップ。
【発明の詳細な説明】
【技術分野】
【０００１】
この発明は、パイプの開口部に装着されるパイプ用エンドキャップに関するものである。
【背景技術】
【０００２】
衣料品を陳列や収納する時などに、ハンガーパイプ装置を用いることが多い。このハンガーパイプ装置としては、一対の支柱のそれぞれに設けられた係合孔に、各ハンガーブラケットのフックを係合し、これらのハンガーブラケットの先端部に設けられた開口部にハンガー等を掛けるパイプが挿入されて、取り付けられたものが知られている。
【０００３】
挿入されるパイプの両端の開口部には、パイプ用エンドキャップを装着し、意匠性の向上を図ったり、パイプの先端によって使用者が怪我をすることを防止したりしている。
【０００４】
ディスプレイ用パイプの先端部に化粧用として装着するエンドキャップが特許文献１に提案されている。図８に従いこのエンドキャップにつき説明する。このエンドキャップ１００は、ねじ１０１ａを設けたキャップ１０１と、樹脂製弾性体の円筒を４つ割りした円筒４つ割部１０４とを備える。この円筒４つ割部１０４の内孔に勾配孔を設け、この勾配孔１０４ａの中に玉１０７が挿入されている。円筒４つ割部１０４の内孔内には、ねじ１０１ａが螺合する角ナット１０８が設けられている。この角ナット１０８にキャップ１０１のねじ１０１ａをねじ込んでエンドキャップ１００が形成されている。
【０００５】
エンドキャップ１００をパイプ１０９内に挿入し、ねじ１０１ａで玉１０７を押圧することによって、玉１０７を矢印方向に押し出して、円筒４つ割部１０４を矢印方向に押し広げて、パイプ１０９の内面を押圧して、パイプ１０９にエンドキャップ１００を取り付けている。
【先行技術文献】
【特許文献】
【０００６】
【特許文献１】実用新案登録第３０３３２０８号公報
【発明の概要】
【発明が解決しようとする課題】
【０００７】
上記した特許文献１のものは、キャップ１０１を回すことで、パイプ１０９の内面を円筒４つ割部１０４で押し広げてパイプ１０９にエンドキャップ１００を取り付けることができ、エンドキャップ１００の取り付けが容易に行える。
【０００８】
この発明は、上記した特許文献１のエンドキャップを改良し、より強固にパイプに固定することができるパイプ用エンドキャップを提供することにある。
【課題を解決するための手段】
【０００９】
この発明は、一端又は両端が開口したパイプに装着されるパイプ用エンドキャップであって、金属製の円盤状のキャップと、このキャップの中央部に固定されたボルト部と、このボルトが一端にねじ込まれるナット部と、パイプの内径面を押圧するバネ材からなる内壁面押圧部材と、前記ナット部の他端にねじ込まれる取り付けねじとを備え、前記内壁押圧部材は、周方向に等間隔に配置されると共に中央部分が外側に膨れて折り曲げられた複数の脚部と、前記脚部から内側に折り曲げられた先端部と、前記取り付けねじが挿入される孔が設けられた後端部とを有し、前記内壁押圧部材の脚部内にナット部を挿入し、ナット部の一端を後端部に当接させ、取り付けねじをナット部にねじ込み、前記内壁押圧部材にナット部が取り付けられ、前記ナット部の他端に前記ボルト部をねじ込んでパイプ用エンドキャップを組み立て、パイプ内に前記内壁押圧部材を挿入した状態で、前記キャップを回すことで、前記ナット部と内壁押圧部材の後端部がキャップ方向に移動して脚部を外側に拡げ、パイプの内径面に脚部を当接させてパイプ用エンドキャップを固定することを特徴とする。
【００１０】
また、前記脚部間に外側に突出する案内舌片を設ければよい。
【００１１】
また、前記ボルト部が挿入される中央孔部と、この中央孔部の周縁から立ち上がる外周周縁部とを有する受け皿部を、前記内壁押圧部材の脚部の先端部とキャップとの間に介在させ、パイプの固定時に、前記先端部と外周周縁部とが当接するように構成すればよい。
【発明の効果】
【００１２】
この発明は、パイプ内にパイプ用エンドキャップを挿入し、キャップを回して、ナット部と内壁押圧部材の後端部をキャップ方向に移動させて、脚部が外側に拡がる力を与え、脚部をパイプの内径面に強固に押圧して、パイプ用エンドキャップをパイプに強固に固定する。
【図面の簡単な説明】
【００１３】
【図１】この発明の一実施形態に係り、パイプの開口部に装着するパイプ用エンドキャップの分解斜視図である。
【図２】この発明の一実施形態に係り、パイプの開口部にパイプ用エンドキャップの挿入する状態を示す斜視図である。
【図３】この発明の一実施形態に係り、パイプの開口部にパイプ用エンドキャップを挿入した状態を示す断面図である。
【図４】この発明の一実施形態に係り、パイプの開口部にパイプ用エンドキャップを固定した状態を示す断面図である。
【図５】この発明の一実施形態に係り、パイプの開口部に装着するパイプ用エンドキャップの正面図である。
【図６】この発明の一実施形態に係り、パイプが挿入されたハンガーブラケットを支柱に固定し、パイプの開口部にパイプ用エンドキャップを取り付けた状態を示す斜視図である。
【図７】この発明の一実施形態に係り、パイプが挿入されたハンガーブラケットを支柱に固定し、パイプの開口部にパイプ用エンドキャップを取り付ける状態を示す斜視図である。
【図８】従来のパイプ用エンドキャップをパイプに装着した状態を示す模式図である。
【発明を実施するための形態】
【００１４】
この発明の実施の形態について図面を参照しながら詳細に説明する。なお、図中同一または相当部分には同一符号を付し、説明の重複を避けるためにその説明は繰返さない。
【００１５】
この発明のパイプ用エンドキャップ１は、図６及び図７に示すようなハンガーパイプ装置に用いられる。壁等に固定される支柱９に複数のスリット９１が設けられ、このスリット９１にハンガーブラケット７の後端部に設けられた係合フック（図示しない）を差し込んで装着する。そして、ハンガーブラケット７の開口部にパイプ８が挿入されて、ハンガーパイプ装置として用いられる。
【００１６】
さらに、このハンガーブラケット７には、抜け止め具７１が装着され、スリット９１と係合フックとの間に抜け止め具７１の一部が入り込み、ハンガーブラケット７が支柱９より脱落することを防止している。
【００１７】
図６及び図７に示すように、ハンガーブラケット７の開口部に挿入されたパイプ８の両端の開口部８１にこの発明のパイプ用エンドキャップ１が装着される。
【００１８】
パイプ用エンドキャップ１は、金属製の円盤状のキャップ１０、キャップ１０の中央部に固定されたボルト部１１、受け皿１２、ナット部１３、内壁押圧部材１４、ワッシャー１５、取り付けねじ１６とで構成されている。
【００１９】
受け皿１２は、ボルト部１１が挿入される中央孔部１２ａと、中央孔部１２ａの周縁から立ち上がる中央周縁部１２ｂと外周から立ち上がる外周周縁部１２ｃとを有する。外周周縁部１２ｃの外径は、パイプ８の内径より僅かに小さく形成されている。
【００２０】
キャップ１０のボルト部１１を受け皿１２の中央孔部１２ａに挿入して、キャップ１０に受け皿１２が取り付けられる。この受け皿１２は、後述する内壁押圧部材１４の脚部１４ａの先端部１４ｂにより、キャップ１０側に押し付けられる。
【００２１】
図１〜図３に示すように、内壁押圧部材１４は３本の脚部１４ａが周方向に等間隔に配置されている。そして、脚部１４ａ、１４ａ間には、案内舌片１４ｃが設けられている。内壁押圧部材１４は、バネ材で形成され、中央部に取り付けねじ１６が挿入される孔１４ｄが設けられた後端部１４ｅから前方へ３本の脚部１４ａが折り曲げ形成されている。そして、案内舌片１４ｃは後端部１４ｅから周方向に突出するように形成されている。案内舌片１４ｃは、パイプ８の内径面に当接しない大きさに形成されている。
【００２２】
脚部１４ａは後端部１４ｅからまず直交する方向に折り曲げられ、その後先端に向かって、中央部近傍が外側に膨らんだ「へ」の字型に折り曲げられている。先端部１４ｂは脚部１４ａから内側に折り曲げられ、この先端部１４ｂは受け皿１２の受け面１２ｄと平行になるように形成されている。
【００２３】
このパイプ用エンドキャップ１は、内壁押圧部材１４の脚部１４ａ内にナット部１３を挿入し、ナット部１３の一端を後端部１４ｅに当接させ、ワッシャー１５を介してねじ１６をナット部にねじ込む。ナット部１３とねじ１６により、内壁押圧部材１４にナット部１３が取り付けられる。そして、ナット部１３の他端に受け皿１２を取り付けたボルト部１１をねじ込んで、パイプ用エンドキャップ１が組み立てられる。
【００２４】
組み立てたパイプ用エンドキャップ１の内壁押圧部材１４の脚部１４ａの最も外側に膨れた箇所、すなわち、「へ」の字型の頂点部分は、パイプ８の内径より僅かに大きく形成されている。
【００２５】
このように構成されたパイプ用エンドキャップ１を図３に示すように、パイプ８の開口部８１から差し込む。このとき、脚部１４ａは僅かに内径方向に撓んで挿入される。この状態でパイプ用エンドキャップ１のキャップ１０を回して行くと、ボルト部１１とナット部１３により、ナット部１３と内壁押圧部材１４の後端部１４ｅがキャップ１０方向に移動する。この移動により、内壁押圧部材１４の脚部１４ａが軸方向に縮み、脚部１４ａが外側に拡がる力が加わる。この結果、脚部１４ａとパイプ８の内径面８２とが強固に押圧されることになる。そして、図４に示すように、脚部１４ａの先端部１４ｂが受け皿１２の中央周縁部１２ｂと当接して、この位置からの反力により、脚部１４ａとパイプ８の内径面８２との当接力が保たれ、パイプ８の開口部８１にパイプ用エンドキャップ１が強固に取り付けられる。
【００２６】
また、パイプ用エンドキャップ１を外す時には、ボルト部１１を緩める方向へキャップ１０を回す。ボルト部１１とナット部１３により、ナット部１３と内壁押圧部材１４の後端部１４ｅがキャップ１０から遠ざかる方向に移動する。この移動により、内壁押圧部材１４の脚部１４ａが軸方向に延びて、内壁押圧部材１４の当接力を弱めることでき、パイプ８からパイプ用エンドキャップ１を取り外すことができる。
【００２７】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００２８】
１        ：パイプ用エンドキャップ
７        ：ハンガーブラケット
８        ：パイプ
９        ：支柱
１０      ：キャップ
１１      ：ボルト部
１２      ：受け皿
１２ａ    ：中央孔部
１２ｂ    ：中央周縁部
１２ｃ    ：外周周縁部
１２ｄ    ：受け面
１３      ：ナット部
１４      ：内壁押圧部材
１４ａ    ：脚部
１４ｂ    ：先端部
１４ｃ    ：案内舌片
１４ｄ    ：孔
１４ｅ    ：後端部
１５      ：ワッシャー
１６      ：取り付けねじ
【図１】
2018175754.tif 000003
【図２】
2018175754.tif 000004
【図３】
2018175754.tif 000005
【図４】
2018175754.tif 000006
【図５】
2018175754.tif 000007
【図６】
2018175754.tif 000008
【図７】
2018175754.tif 000009
【図８】
2018175754.tif 000010